【手続補正書】
【提出日】平成18年6月15日(2006.6.15)
【手続補正１】
【補正対象書類名】明細書
【補正対象項目名】特許請求の範囲
【補正方法】変更
【補正の内容】
【特許請求の範囲】
【請求項１】
複数種類の識別情報を可変表示可能な可変表示装置を有し、該可変表示装置における可変表示の表示結果が予め定められた特定の表示態様となった場合に、遊技者にとって有利な状態に制御可能となる遊技機において、
該遊技機は、始動口スイッチの作動を契機に主基板より表示制御基板へ前記可変表示装置の表示領域に一対の第１領域を形成すると共に、該一対の第１領域に表示結果をそれぞれ導出表示させるための表示演出データを出力し、該表示演出データに基づいて表示態様を制御する可変表示制御手段と、
該可変表示制御手段は、前記複数種類の識別情報の表示結果が特定の表示態様になる場合と特定の表示態様にならない場合に、前記複数種類の識別情報の変動表示結果が確定する前に、前記一対の第１領域を互いに分離させ、該分離させた領域に前記変動表示結果に関連する予告報知する予告報知手段と、
前記主基板における乱数抽選によって、前記予告報知手段による予告報知の実行可否を乱数抽選によって選択決定する選択決定手段を有することを特徴とする遊技機。
【請求項２】
前記可変表示制御手段は、前記一対の第１領域の間の間隔が広狭するように前記一対の第１領域の少なくとも一方を変位させる表示制御が可能であり、前記一対の第１領域にそれぞれ表示すべき各識別情報を互いに同一または平行方向に伸縮表示可能とすることを特徴とする請求項１記載の遊技機。
【請求項３】
前記予告報知手段は、前記選択決定手段に基づいて予告報知を実行する場合、前記可変表示制御手段は前記一対の第１領域を互いに分離させて、前記表示制御基板の記憶部における前記複数種類の予告報知を選択的に行うことが可能であることを特徴とする請求項１または２記載の遊技機。
【請求項４】
前記選択決定手段により予告報知する旨が決定された場合に、前記予告報知手段は、前記一対の第１領域を互いに分離させる間隔を変動させた後、分離表示停止することにより、前記予告報知を行うことを特徴とする請求項３記載の遊技機。
【請求項５】
前記一対の第１領域が分離表示停止した際の間隔の広狭に応じて、前記特定の表示態様となる確率を異ならせることを特徴とする請求項４記載の遊技機。
【請求項６】
前記選択決定手段により予告報知する旨が決定された場合に、前記予告報知手段は、前記一対の第１領域を互いに分離させた間である第２領域に特別識別情報を表示することにより、前記予告報知を行うことを特徴とする請求項５記載の遊技機。
【請求項７】
前記一対の第１領域を互いに分離させた間である第２領域に表示する特別識別情報の種類に応じて、前記特定の表示態様となる確率を異ならせることを特徴とする請求項６記載の遊技機。
【手続補正２】
【補正対象書類名】明細書
【補正対象項目名】０００７
【補正方法】変更
【補正の内容】
【０００７】
【課題を解決するための手段】
前述した目的を達成するための本発明の要旨とするところは、次の各項の発明に存する。
［１］複数種類の識別情報を可変表示可能な可変表示装置（３１０）を有し、該可変表示装置（３１０）における可変表示の表示結果が予め定められた特定の表示態様となった場合に、遊技者にとって有利な状態に制御可能となる遊技機において、
該遊技機は、始動口スイッチ（１２１）の作動を契機に主基板（１００）より表示制御基板（３００）へ前記可変表示装置（３１０）の表示領域に一対の第１領域（３１１）を形成すると共に、該一対の第１領域（３１１）に表示結果をそれぞれ導出表示させるための表示演出データを出力し、該表示演出データに基づいて表示態様を制御する可変表示制御手段と、
該可変表示制御手段は、前記複数種類の識別情報の表示結果が特定の表示態様になる場合と特定の表示態様にならない場合に、前記複数種類の識別情報の変動表示結果が確定する前に、前記一対の第１領域（３１１）を互いに分離させ、該分離させた領域に前記変動表示結果に関連する予告報知する予告報知手段（１００，３００）と、
前記主基板（１００）における乱数抽選によって、前記予告報知手段（１００，３００）による予告報知の実行可否を乱数抽選によって選択決定する選択決定手段（１００）を有することを特徴とする遊技機。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
［３］前記予告報知手段（１００，３００）は、前記選択決定手段（１００）に基づいて予告報知を実行する場合、前記可変表示制御手段は前記一対の第１領域（３１１）を互いに分離させて、前記表示制御基板（３００）の記憶部における前記複数種類の予告報知を選択的に行うことが可能であることを特徴とする［１］または［２］記載の遊技機。
【手続補正６】
【補正対象書類名】明細書
【補正対象項目名】００１２
【補正方法】変更
【補正の内容】
【００１２】
［４］前記選択決定手段（１００）により予告報知する旨が決定された場合に、前記予告報知手段（１００，３００）は、前記一対の第１領域（３１１）を互いに分離させる間隔を変動させた後、分離表示停止することにより前記予告報知を行うことを特徴とする［３］記載の遊技機。
【手続補正７】
【補正対象書類名】明細書
【補正対象項目名】００１３
【補正方法】変更
【補正の内容】
【００１３】
［５］前記一対の第１領域（３１１）が分離表示停止した際の間隔の広狭に応じて、前記特定の表示態様となる確率を異ならせることを特徴とする［４］記載の遊技機。
【手続補正８】
【補正対象書類名】明細書
【補正対象項目名】００１４
【補正方法】変更
【補正の内容】
【００１４】
［６］前記選択決定手段（１００）により予告報知する旨が決定された場合に、前記予告報知手段（１００，３００）は、前記一対の第１領域（３１１）を互いに分離させた間である第２領域（３１２）に特別識別情報を表示することにより前記予告報知を行うことを特徴とする［５］記載の遊技機。
【手続補正９】
【補正対象書類名】明細書
【補正対象項目名】００１５
【補正方法】変更
【補正の内容】
【００１５】
［７］前記一対の第１領域（３１１）を互いに分離させた間である第２領域（３１２）に表示する特別識別情報の種類に応じて、前記特定の表示態様となる確率を異ならせることを特徴とする［６］記載の遊技機。
【手続補正１０】
【補正対象書類名】明細書
【補正対象項目名】０１２０
【補正方法】変更
【補正の内容】
【０１２０】
詳しく言えば、前記主基板１００により実行された乱数抽選の結果を、大当たり（特定の表示態様）と、リーチ外れと、外れの３種類に分類する。また制御パターンとして、複数種類のバリエーションを用意し、大当たりの場合における制御パターンの優先順位と、リーチ外れの場合における制御パターンの優先順位と、外れの場合における制御パターンの優先順位を予め定め、これらを表示制御基板３００に登録しておく。
【手続補正１１】
【補正対象書類名】明細書
【補正対象項目名】０１２１
【補正方法】変更
【補正の内容】
【０１２１】
また、表示遊技の制御パターンとは別に、表示演出データとしての予告報知に関する予告パターンとして、例えば、前記一対の第１領域３１１を互いに分離させる間隔を変動させた後、分離表示停止する時の間隔の広狭も予め複数通り定めて、これらも登録しておく。各制御パターンに基づく表示遊技は、表示制御基板３００の機能から成る可変表示制御手段により制御される。
【手続補正１２】
【補正対象書類名】明細書
【補正対象項目名】０１２２
【補正方法】変更
【補正の内容】
【０１２２】
前記乱数抽選の結果が大当たりとなった場合に、その旨を表示結果が確定する前に、前記一対の第１領域３１１を互いに分離させる表示に関連して、具体的には前記一対の第１領域３１１を互いに分離させる間隔を変動させた後、分離表示停止するという態様の予告報知が実行される。かかる予告報知は、表示制御基板３００の機能から成る予告報知手段により制御される。
【手続補正１３】
【補正対象書類名】明細書
【補正対象項目名】０１２７
【補正方法】変更
【補正の内容】
【０１２７】
次に、保留されている実行権に基づいて表示遊技を実行する際の流れを説明する。表示遊技を実行していない状態で保留数を調べ、０でなければ保留数を「１」だけ減算するとともに特別図柄保留ＬＥＤ４２０のランプを１つ消灯する。そして、表示制御基板３００のメモリに記憶しておいた表示遊技の実行結果や遊技の制御パターン、予告報知の有無および予告パターン等を表すデータを読み出し、これら読み出した情報に基づく表示データ等を可変表示制御手段へ送り、表示遊技を展開表示する。
【手続補正１４】
【補正対象書類名】明細書
【補正対象項目名】０１２９
【補正方法】変更
【補正の内容】
【０１２９】
主基板１００における乱数抽選結果を表示制御基板３００に出力し、乱数抽選結果による表示データに基づいて、特別図柄表示装置３１０の表示領域に上下一対の第１領域３１１が形成され、これら一対の第１領域３１１にそれぞれ識別情報が可変表示される（図１３（ａ））。次に、各第１領域３１１の３つの升目に１つずつ識別情報が順次停止表示される（図１３（ｂ））。
【手続補正１５】
【補正対象書類名】明細書
【補正対象項目名】０１４５
【補正方法】変更
【補正の内容】
【０１４５】
【発明の効果】
本発明に係る遊技機によれば、可変表示制御手段によって、表示領域に一対の第１領域が形成され、この一対の第１領域に識別情報が可変表示され、表示結果が確定する前に、予告報知手段の制御により、特定の表示態様になる場合と特定の表示態様にならない場合に、前記複数種類の識別情報の変動表示結果が確定する前に、一対の第１領域を互いに分離させ変動表示結果に関連する予告報知を行うことにより、斬新な表示により遊技者を視覚的に十分に楽しませることができ、しかも予告報知により遊技者の興趣をより一層と向上させることができる。